(57)【要約】【課題】  摺動部材が固定部材に対して摺動移動し、一方に設けられた弾性力を有する突起部材が他方に設けられた剛性を有する突起部材を乗り越えるとき、両突起部材が当接する時の打撃音が小さくでき、乗り越えると時の適度な節度感を確保することができる摺動体構造を提供する。【解決手段】  摺動部材である蓋本体４が固定部材である基部５に対して摺動移動すると、一方に設けた板バネ６の略「Ｖ」字状の係止部６１（第１突起部材）が、他方に設けたリブ５０、５０の略「Ｖ」字状の前側突条５１および後側突条５２（第２突起部材）に当接後、乗り越えて蓋本体４が基部５に対して所定位置で位置決めされる。この時、係止部６１の第１傾斜面６１Ａの傾斜角度ａと後側突条の傾斜面５２Ａの傾斜角度ｂおよび係止部６１の傾斜面６１Ｂ（第１傾斜面）と前側突条５１の第２傾斜面５１Ａとは異なった角度とされている。【選択図】      図３
2006281840.tif 000002
【特許請求の範囲】
【請求項１】
固定部材と該固定部材に対して摺動移動する摺動部材とを有し、該摺動部材側には該固定部材側に向けて突出し突出基部より突出端部が該摺動部材の摺動方向に対して後方側となるような第１傾斜面を有する第１突起部材が設けられ、該固定部材には該第１突起部材に対向して該摺動部材側に向けて突出し突出基部より突出端部が該摺動部材の摺動方向に対して前方側となるような第２傾斜面を有する第２突起部材が設けられ、該第１突起部材と該第２突起部材の少なくともいずれか一方が弾性変形可能とされて、該第１突起部材の突出端部が該摺動部材の摺動移動により該第２突起部材の突出端部乗り越えるように構成された摺動体構造において、
前記摺動部材が前記固定部材に対して摺動移動して、前記第１突起部材が前記第２突起部材に当接した点において、前記摺動部材の摺動方向に平行な線（摺動方向が曲線の場合はその接線）と前記第１突起部材が交差して形成される角度（第１傾斜角度）と同様に前記第２突起部材が交差して形成される角度（第２傾斜角度）とは異なった角度であることを特徴とする摺動体構造。
【請求項２】
前記第１傾斜角度と前記第２傾斜角度の内、鋭角となる角度は、前記第１傾斜角度のほうが前記第２傾斜角度より大きいことを特徴とする請求項１に記載の摺動体構造。
【請求項３】
前記第１傾斜角度と前記第２傾斜角度の内、鋭角となる角度は、第１傾斜角度のほうが第２傾斜角度より大きく、その角度の差は２度乃至１０度であることを特徴とする請求項１または請求項２に記載の摺動体構造。
【請求項４】
前記第１傾斜角度と前記第２傾斜角度の内、鋭角となる角度は、第１傾斜角度の方が第２傾斜角度より大きく、その角度の差は３度乃至７度であることを特徴とする請求項３に記載の摺動体構造。
【請求項５】
前記摺動部材は往復移動可能とされるとともに、前記第２突起部材は前記摺動部材が往復移動した際に、前記第１突起部材の往復移動の両移動端に対応して設けられており、前記第１突起部材と前記第２突起部材とは、それぞれの突出端部において折れ曲がり部を有する略「Ｖ」字形状であることを特徴とする請求項１乃至請求項４のいずれかに記載の摺動体構造。
【請求項６】
前記第１突起部材と前記第２突起部材は、いずれか一方が板バネ部材であり、他方が剛性を有するリブであることを特徴とする請求項１乃至請求項５のいずれかに記載の摺動体構造。
【請求項７】
前記第１突起部材が板バネ部材であり、前記第２突起部材が剛性を有するリブであることを特徴とする請求項１乃至請求項６に記載の摺動体構造。
【請求項８】
前記摺動部材が前記固定部材に対して摺動移動する際に、前記第１突起部材と前記第２突起部材との非当接時においては、少なくともいずれか一方の弾性変形可能とされた突起部材は応力が負荷されていない状態であることを特徴とする請求項１乃至請求項７のいずれかに記載の摺動体構造。 
【発明の詳細な説明】
【技術分野】
【０００１】
この発明は、例えば、車室内のカップホルダや灰皿等の引出装置、車室内に配置されたコンソールボックスの前後方向の位置調整、コンソールボックス収納部の開口を開閉する蓋体、さらには、車室内のドアトリムやコンソール部に配置されたアームレスト等を、その位置を変位させるために摺動移動させる摺動体構造に好適に用いられるものである。
【背景技術】
【０００２】
車室内でカップホルダや灰皿等の引出装置の収納位置から使用位置や、車室内に配置されるコンソールボックスの使用位置の調整や、このコンソールボックスの収納部の開口を蓋う蓋体の開閉や、車室内のドアトリムやコンソール部に配置されたアームレストを乗員の体格に合わせて位置調整するためには、その位置を変位させるために様々な摺動体構造が用いられている。
【０００３】
これらの摺動体構造は、例えば、特許文献１においては、第1の容器体の上に第２の容器体とを積層し、第1の容器体に対して第２の容器体を摺動移動可能としたコンソールボックスにおいて、車両前後方向に縮小状態のリングバネが相対移動できるように形成され、その前後端と中間部とそれらの間の数箇所に拡張状態のリングバネが嵌合する菱形のレスト部が設けられている構成が記載されている。
【０００４】
また、例えば、特許文献２においては、ドリンク容器の拘束具で、ドリンク容器の周面に当接する当接部を有し、スライダに設けられた複数段のロック溝とロック機構に設けられたロック爪との係止とスライダを前進方向に付勢するバネとでスライダの前進を拘束し後退を許容する構成が記載されている。
【特許文献１】特開平９−３０１０８０号公報
【特許文献２】特開２００１−１２２００８号公報
【発明の開示】
【発明が解決しようとする課題】
【０００５】
ところが、特許文献１の構成においては、リングバネがスリット内を摺動移動し、レスト部に嵌合した時には、そのバネ作用により急激に縮小状態から拡張状態となり、リングバネの外壁面とレスト部の内壁面とが当接する瞬間に耳障りな打撃音が発生することとなる。
【０００６】
また、特許文献２の構成においては、略「Ｖ」字状のロック爪が、スライダのスライド方向へ複数段に形成されたロック溝に手動操作で離脱可能に係止してスライダの前進を拘束するものである。ここで、ロック溝は、ロック爪の略「Ｖ」字形状に対して、略矩形状をしているため、特許文献２の場合のように連続したロック溝に略「Ｖ」字形状のロック爪を係止させて連続的にスライダを移動させることに支障はないが、ロック爪のロック溝への係止力が比較的弱くなり、スライダの拘束状態が容易に解除されることとなる。さらに、ロック溝が矩形状であると、ロック溝の角部分では弾性力を持ったロック爪の円滑な動きが妨げられることとなる。
【０００７】
本発明は、このような従来技術に存在する問題点に着目してなされたものである。その目的とするところは、摺動部材が固定部材に対して固定（ロック）する際に耳障りな打撃音を効果的に防止でき、蓋体や引出等の摺動部材に対して固定（ロック）される時の動きを円滑なものにすることのできる摺動体構造を提供することにある。
【課題を解決するための手段】
【０００８】
上記の目的を達成するために、請求項１に記載の発明は、固定部材と該固定部材に対して摺動移動する摺動部材とを有し、該摺動部材側には該固定部材側に向けて突出し突出基部より突出端部が該摺動部材の摺動方向に対して後方側となるような第１傾斜面を有する第１突起部材が設けられ、該固定部材には該第１突起部材に対向して該摺動部材側に向けて突出し突出基部より突出端部が該摺動部材の摺動方向に対して前方側となるような第２傾斜面を有する第２突起部材が設けられ、該第１突起部材と該第２突起部材の少なくともいずれか一方が弾性変形可能とされて、該第１突起部材の突出端部が該摺動部材の摺動移動により該第２突起部材の突出端部乗り越えるように構成された摺動体構造において、前記摺動部材が前記固定部材に対して摺動移動して、前記第１突起部材が前記第２突起部材に当接した点において、前記摺動部材の摺動方向に平行な線（摺動方向が曲線の場合はその接線）と前記第１突起部材が交差して形成される角度（第１傾斜角度）と同様に前記第２突起部材が交差して形成される角度（第２傾斜角度）とは異なった角度としたことを要旨とする。
【０００９】
上記構成によれば、第1傾斜角度と第２傾斜角度とを異なった角度としたため、摺動部材が固定部材に対して摺動移動し、摺動部材側に設けられた第1突起部材が、固定部材側に設けられた第２突起部材に当接した後、弾性変形可能とされた第１突起部材と第２突起部材のいずれか一方または両方が弾性変形し、第１突起部材が第２突起部材を乗り越えることとなる。この時には、第１突起部材で形成される第１傾斜角度と第２突起部材で形成される第２傾斜角度とは異なった角度とされているため、第１突起部材と第２突起部材とが当接した点では両者は線接触となるため、当接時には耳障りな打撃音の発生を抑えることができる。
【００１０】
請求項２に記載の発明は、請求項１に記載の発明において、前記第１傾斜角度と前記第２傾斜角度の内、鋭角となる角度は、前記第１傾斜角度の方が前記第２傾斜角度より大きいことを要旨とする。
【００１１】
上記構成によれば、前記第１傾斜角度と前記第２傾斜角度の内、鋭角となる角度は、前記第１傾斜角度の方が前記第２傾斜角度より大きくしたので、第1突起部材が第２突起部材を乗り越える際に、先ず、第１突起部材の突出端部が第２突起部材の第２傾斜面に当接し、次いで、弾性変形可能な第１突起部材と第２突起部材のいずれか一方または両方が弾性変形しつつ、第１突起部材の突出端部が第２突出部材の第２傾斜面に沿って摺接移動して第１突起部材の突出端部が第２突起部材の突出端部を乗り越える。従って、第１突起部材の傾斜面に第２突起部材の突出端部が先ず当接し、次いで、第２突出端部の突出端部が第１突起部材の傾斜面を移動摺接する場合よりも、適度な節度感を得ることができる。
【００１２】
請求項３に記載の発明は、請求項１また請求項２に記載の発明において、前記第１傾斜角度と前記第２傾斜角度の内、鋭角となる角度は、第１傾斜角度のほうが第２傾斜角度より大きく、その角度の差は２度乃至１０度であることを要旨とする。
【００１３】
上記構成によれば、第１傾斜角度を第２傾斜角度より大きくし、その角度の差を２度乃至１０度としたので、請求項２の効果に加え、第１突起部材の突出端部が第２突起部材の傾斜面に当接する際の耳障りな打撃音を効果的に抑えることができる。
請求項４に記載の発明は、請求項３に記載の発明において、前記第１傾斜角度と前記第２傾斜角度の内、鋭角となる角度は、第１傾斜角度の方が第２傾斜角度より大きく、その角度の差は３度乃至７度であることを要旨とする。
【００１４】
上記構成によれば、前記第１傾斜角度と前記第２傾斜角度の内、鋭角となる角度は、第１傾斜角度の方が第２傾斜角度より大きく、その角度の差を３度乃至７度としたので、さらに効果的に第１突起部材の突出端部が第２突起部材の傾斜面に当接する際の耳障りな打撃音を効果的に抑えることができる。
【００１５】
請求項５に記載の発明は、請求項１乃至請求項４のいずれかに記載の発明において、前記摺動部材は往復移動可能とされるとともに、前記第２突起部材は前記摺動部材が往復移動した際に、前記第１突起部材の往復移動の両移動端に対応して設けられており、前記第１突起部材と前記第２突起部材とは、それぞれの突出端部において折れ曲がり部を有する略「V」字形状であることを要旨とする。
上記構成によれば、摺動移動部材が往復移動する場合においても、第１突起部材と第２突起部材のそれぞれの突出において折れ曲がり部を有する略「Ｖ」字形状であるため、第１突起部材と第２突起部材との耳障りな打撃音や、第１突起部材が第２突起部材を乗り越える時の良好な節度感を得ることができる。
請求項６に記載の発明は、請求項１乃至請求項５のいずれかに記載の発明において、前記第１突起部材と前記第２突起部材は、いずれか一方が板バネ部材であり、他方が剛性を有する薄肉のリブであることを要旨とする。
上記構成によれば、第１突起部材と第２突起部材のいずれか一方が板バネ部材であり、他方は剛性を有する薄肉のリブとしたので、さらに耳障りな打撃音を抑えることが可能となり、第１突起部材が第２突起部材を乗り越える時の摩擦を小さくでき、良好な節度感を得ることができる。ここで、板バネ部材としては、金属製や合成樹脂製、ゴム製等の板状のバネ部材が良好に使用することができ、また、剛性を有する薄肉のリブは、板バネ部材の乗り越え時の応力で変形しない程度の剛性を有していれば良く、その肉厚は１ｍｍ〜１０ｍｍ程度が良好である。さらにリブは１本である必要は無く、複数本あっても良い。
請求項７に記載の発明は、請求項６に記載の発明において、前記第１突起部材が板バネ部材であり、前記第２突起部材が剛性を有するリブであることを要旨とする。
上記構成によれば、板バネ部材である第１突起部材が剛性を有するリブを乗り越えて、摺動部材が固定部材に対して摺動移動するので、この乗り越える時の節度感をさらに良好にすることができる。
請求項８に記載の発明は、請求項１乃至請求項７のいずれかに記載の発明において、前記摺動部材が前記固定部材に対して摺動移動する際に、前記第１突起部材と前記第２突起部材との非当接時においては、少なくともいずれか一方の弾性変形可能とされた突起部材は応力が負荷されていない状態であることを要旨とする。
上記構成によれば、第１突起部材と第２突起部材のいずれか一方の弾性変形可能とされた突起部材は、摺動部材が固定部材に対して摺動移動する際に、第１突起部材と第２突起部材が当接していない状態では無負荷状態で、この両突起部材が当接した瞬間に負荷状態となるため、弾性変形可能な突起部材の急激な弾性変形が防止できるので、耳障りな打撃音とさらに抑えることができるとともに、第１突起部材が第２突起部材を乗り越える時の良好な節度感を得ることができる。
【発明の効果】
【００１６】
本発明によれば、摺動部材が固定部材に対して摺動移動した際に、摺動部材側の第１突起部材が固定部材側の第２突起部材を乗り越えることにより、摺動部材を所定位置で一端停止等とする場合において、第１突起部材が第２突起部材を乗り越えるときの当接する耳障りな打撃音を効果的に抑えることができるとともに、適度な節度感も得ることができる。
【発明を実施するための最良の形態】
【００１７】
以下、本発明を車室内のコンソール部に配設されるアームレストとして具体化した一実施形態を図１〜図４に基づいて説明する。なお、以下の説明において、「前後方向」をいう場合は、車両の進行方向（前進方向）を前方（車両前方）として説明する。また、「上下方向」及び「左右方向」をいう場合は、特に説明がない限り、車両の進行方向を前方とした場合の上下方向及び左右方向をいうものとする。
【００１８】
図１に示すように、車両の運転席と助手席の間のコンソール部には、各種収納物を収納するためのコンソールボックス１が配設される。このコンソールボックス１は、コンソールボックス本体２と蓋体３とから構成されており、コンソールボックス本体２には上部が開口した収納室（図示せず）が設けられており、蓋体３はこの収納室の開口を蓋うとともに、矢印Ａに示すように、車両後端側をヒンジ中心として回動して開口を開閉可能としている。また、蓋体３は、乗員のアームレストとしても機能し、矢印Ｂに示すように乗員の着座位置や体格等に合わせて、コンソールボックス本体２に対して前後方向に摺動移動が可能とされている。
【００１９】
次に、蓋体３の構成について説明する。図２に示すように、蓋体３は、蓋本体４と、この蓋本体４により車室内全面を覆われた基部５とから構成されている。コンソールボックス本体２の収納室はこの基部によりその開口を開閉可能とされている。蓋本体４は、例えば、ポリプロピレンやＡＢＳ等の合成樹脂により射出成形で製造されているが、車室内に面した全面をポリオレフィン系エラストマーやポリウレタン等の表皮材でカバーしても良い。基部５は、ポリプロピレンやＡＢＳ等の合成樹脂により射出成形により製造されている。
次に、蓋本体４について説明する。図２に示すように、蓋本体４は下面側に開口した断面略椀状で、その中央部よりやや後方には基部５に向けて円筒状のボス４０が垂設されている。本実施形態では、ボス４０の左右、前後側には、蓋本体４の裏面から十字状補強リブ４１、４１が設けられている。
さらに、図２に示すように、ボス４０には、金属製の板バネ６がビス７で取付けられている。板バネ６は、平板状の取付部６０と、取付部６０の前方に取付部６０より下方側に折れ曲がり部を有する略「Ｖ」字状の係止部６１が延設されている。取付部６０の略中央には、板バネ６をボス４０に取付けるため、ビス７が貫通できる孔６２が穿設されている。
【００２０】
次に、基部５について説明する。図２に示すように、基部５は略皿状をなし、その底面の車両左右方向の略中央部近傍には、２本のリブ５０、５０が車両前後方向に向けて平行に立設されている。このリブ５０、５０は基部５の前端部近傍より車両後方に向かって平行に設けらてれおり、リブ５０、５０の後方側の基部５は棚部５３とされている。この棚部５３の前後方向の長さは、後述する蓋本体４が基部５に対する前後方向への摺動移動量によって決められている。また、基部５の後端部はコンソールボックス本体２の後端部に図示しないヒンジ装置により回動可能に取付けられている。また、２本のリブ５０、５０の左右方向の間隔ｄ１は、板バネ６の車両左右方向の幅ｄ２より若干小さくなっている。また、リブ５０、５０は前述の通りポリプロピレンやＡＢＳ等の合成樹脂で基部５と一体成形されており、板バネ６の弾性力で変形しない程度の剛性を有している。
【００２１】
蓋本体４は、図示しないガイド手段により基部５に対して前後方向に摺動移動可能とされている。ガイド手段は特に限定されないが、例えば、車両前後方向に設けられたガイド溝とこのガイド溝に弾接するバネ部材によるものや、ラックとピニオンとの係合によるもの等が好適である。即ち、蓋本体４が摺動部材を構成し、基部５が固定部材を構成している。また、棚部５３は蓋本体４が前方に摺動移動した際には、車室内に露出し、蓋本体４が後方に摺動移動した際には、蓋本体４で覆い隠されることとなる。
【００２２】
次に、蓋本体４がアームレストとして機能し、基部５に対して車両前後方向に摺動移動する際の、前後端でのストッパ機構について、図２乃至図４を用いて説明する。図２および図３に示すように、リブ５０、５０には、その全長の車両前方側から約１／４の位置に係止部６１に対応してリブ５０、５０より上方に折れ曲がり部を有する略「Ｖ」字状の前側突条５１、５１が設けられ、さらに、リブ５０、５０の全長の車両後方側から約１／４の位置に前側突条５１，５１と同じ形状の後側突条５２，５２が設けられている。
【００２３】
また、蓋本体４の椀状部の内側には、その前端部と後端部近傍に前側ストッパ突起４２と後側ストッパ突起４３が設けられている。さらに、基部５の前端部近傍にはストッパ壁５４が立設され、リブ５０、５０の後端で棚部５３の前方にはストッパ突条５５が設けられている。
次に、図４に示すように、略「Ｖ」字状の係止部６１は、取付部６０の突出基部から車両前方（即ち、摺動部材の摺動方向の後方側）に向かって傾斜面（第１傾斜面）６１Ａを有する第１突起部材を構成する。この第１傾斜面６１Ａでは、略「Ｖ」字状の先端の折れ曲がり部を突出端部とされている。一方、リブ５０の後側突条５２，５２は係止部６１に対向する略「Ｖ」字状をなし、第１傾斜面６１Ａに対向して傾斜する（即ち、リブ５０の突出基部から車両後方へ傾斜）傾斜面（第２傾斜面）５２Ａを有する第２突起部材を構成する。
【００２４】
ここで、蓋本体４が基部５に対して摺動移動した際に、係止部６１が後側突条５２に当接した点において、蓋本体４の摺動方向に平行な線（図４において矢印で示す。）と、第１傾斜面６１Ａの延長線が形成する角度の内、鋭角である角度（ａ）と第２傾斜面５２Ａの延長線が形成する角度の内、鋭角である角度（ｂ）を比較すると、角度（ａ）と角度（ｂ）とは異なった角度となっている。この両角度は、角度（ａ）を角度（ｂ）より大きくすることが望ましい。その角度の差は２度乃至１０度であることが望ましく、３度乃至７度であることがさらに望ましい。なお、本実施形態においては、その角度の差は３度とされている。
次に、蓋本体４が基部５に対して摺動移動する動きについて説明する。蓋本体４は前述の通りアームレストとしても機能し、図示しないガイド手段によって基部５に対して手動などの方法によって前後方向に摺動移動することができる。先ず、図４の矢印で示すように、蓋本体４が基部５に対して後方に摺動移動すると、係止部６１の第１傾斜面６１Ａが後側突条５２に当接する（図３の実線で示す状態）。さらに、蓋本体４を摺動移動させると、板バネ６が弾性変形して係止部６１が剛性を有する後側突条５２を乗り越える。この乗り越えた状態では、ストッパ壁５４が前側ストッパ突起４２に当接して蓋本体４を基部５に対して後端位置で固定することができる。
次に、蓋本体４は後端での固定位置から基部５に対して車両前方に摺動移動することができる。この時には、板バネ６が弾性変形して後側突条５２の後側から前側に乗り越えることにより後方への移動とは反対の前方に摺動移動する。この摺動移動時においては、前述の通り、蓋本体４は図示しないガイド手段により案内されて摺動移動し、板バネ６の略「Ｖ」字状の係止部６１の下端部はリブ５０の上端から離隔した状態、即ち、板バネ６には応力が負荷されていない状態で前方へ摺動移動する。
図３に示すように、蓋本体４は、前方へ摺動移動すると、板バネ６の係止部６１が前側突条５１に当接する。さらに、蓋本体４を基部５に対して前方に摺動移動させると、板バネ６が弾性変形して係止部６１が剛性を有する前側突条５１を乗り越える。この時には、係止部６１の前方側の傾斜面６１Ｂが第１傾斜面を構成し、前側突条５１の後方側の傾斜面５１Ａが第２傾斜面を構成する。ここで、第１傾斜面６１Ｂと第２傾斜面５１Ａとの角度の関係は、前述の第１傾斜面６１Ａと第２傾斜面５２Ａとの関係と同じである。さらに、この状態では、図３の２点鎖線で示すように、後側ストッパ突起４３がストッパ突条５５に当接して、蓋本体４を基部５に対して前端位置で固定することができる。
【００２５】
（変更例）
なお、前記実施形態は、次のように変更して具体化することも可能である。
【００２６】
・  リブ５０、５０上に設ける突条は、前側突条５１と後側突条５２の２個とし、蓋本体４を基部５に対して前端位置と後端位置で固定できる構成としたが、突条を前側突条５１と後側突条５２の間に適宜（１個乃至２個以上）設けて、前側突条５１と後側突条５２の間で固定できるようにしてもよい。この場合、中間の固定位置で別途ストッパ手段を設けるのが好ましい。
【００２７】
・  リブ５０、５０は平行に２本設けたが、リブの本数は１本でも３本以上でも良く、板バネ６の弾性力で変形しない程度の剛性を有していれば良い。
【００２８】
・  蓋本体４側にリブ５０，５０を設け、基部５側に板バネ６を設けても良い。
【図面の簡単な説明】
【００２９】
【図１】実施形態のコンソールボックスを示す斜視図。
【図２】実施形態のコンソールボックスの蓋体の分解斜視図。
【図３】組立てた状態の蓋体の断面図。
【図４】図３の要部拡大図。
【符号の説明】
【００３０】
１…コンソールボックス、２…コンソールボックス本体、３…蓋体、４…蓋本体、５…基部、６…板バネ、４０…ボス、５０、５０…リブ、５１…前側突条、５２…後側突条、５１Ａ，５２Ａ…第２傾斜面、６１Ａ，６１Ｂ…第１傾斜面
【図１】
2006281840.tif 000003
【図２】
2006281840.tif 000004
【図３】
2006281840.tif 000005
【図４】
2006281840.tif 000006